(57)【特許請求の範囲】
【請求項１】
刈り取った穀稈を脱穀する扱胴（２０）及び送塵口処理胴（２１）を収納する扱室と、該扱室下方で揺動本体（５１）により選別を行う選別室とを有する脱穀選別装置（Ｂ）を配置したコンバインにおいて、前記送塵口処理胴（２１）の下部に、前後方向に長く、かつ、側面視において後方側に行くに従って下方向に長く形成した処理胴側流下板（２１１）を配置し、該処理胴側流下板（２１１）は上部を固定し、かつ、上部が内側に屈曲され、下部を選別室の左右方向内側に傾斜状に向けて突出し、前記送塵口処理胴（２１）より落下する籾や籾藁等の一部が、該処理胴側流下板（２１１）に沿って選別室の揺動本体（５１）の左右方向の中央側に案内され、残りが揺動本体（５１）の進行方向右側に案内され、左右方向に分配されることを特徴とするコンバイン。
【請求項２】
請求項１記載のコンバインにおいて、前記揺動本体（５１）の、前部に設けたグレンパン（５８）の進行方向右側に左右方向に長い固定板（２２１）を前後に平行状に固設し、該前後の固定板（２２１）に複数のリード板（２２０）を固設し、該リード板（２２０）の後方を進行方向左方向に傾斜して配置したことを特徴とするコンバイン。
【発明の詳細な説明】
【０００１】
【発明の属する技術分野】
本発明は、コンバインにおいて、扱胴や送塵口処理胴による詰まりを無くして脱穀性能を向上し、脱粒された穀粒を揺動選別装置の左右方向の中央部に案内して選別性能を向上する構成に関する。
【０００２】
【従来の技術】
従来から刈取部によって刈り取られた穀稈を、フィードチェーンによって受け継ぎ、穂先側を脱穀選別装置の扱口内に案内し、扱胴で脱穀し、脱穀された籾藁が、扱胴下方に配設するクリンプ網より揺動選別装置上に漏下し、更に、扱胴によって処理しきれなかった穀粒が含まれる二番物が扱胴の後側部に配した送塵口処理胴内に搬送され、穀粒と藁屑等に選別していた。前記揺動選別装置に落下した穀粒は、揺動選別と風選別とによって一番物、二番物、藁屑とに選別され、選別後の一番物をグレンタンク内に貯留し、二番物を再選別し、藁屑を機体後方より排出するように構成していた。
【０００３】
【発明が解決しようとする課題】
しかし、従来のコンバインの脱穀選別装置において、脱穀選別装置に案内された穀稈が扱胴によって脱穀される際に、大きな負荷がかかり、この扱胴に大量の穀稈が同時に案内された場合には、扱胴で詰まりが生じる恐れがあった。また、扱胴にて脱穀された穀粒は扱胴の回転方向に沿って流れ、クリンプ網の進行方向右側より漏下して選別装置上に固まって落下する場合があり、選別性能が悪くなり、特に、長稈の場合にはクリンプ網の進行方向右側より脱粒されることが顕著になっていた。更に、前記送塵口処理胴は、扱胴の進行方向右側側部より後方に延出した構成となっており、送塵口処理胴によって処理された穀粒も揺動選別装置の進行方向右側上に漏下するので、選別装置の進行方向右側に穀粒が集中して選別性能が悪くなっていた。また、前記脱穀選別装置の扱胴が大型の場合には、重量も重く、脱穀作業時に負荷もかかるので、強固に支持する構成する必要があった。
【０００４】
【課題を解決するための手段】
本発明はこのような問題点を解消するために、次の如く構成したものである。
請求項１おいては、刈り取った穀稈を脱穀する扱胴（２０）及び送塵口処理胴（２１）を収納する扱室と、該扱室下方で揺動本体（５１）により選別を行う選別室とを有する脱穀選別装置（Ｂ）を配置したコンバインにおいて、前記送塵口処理胴（２１）の下部に、前後方向に長く、かつ、側面視において後方側に行くに従って下方向に長く形成した処理胴側流下板（２１１）を配置し、該処理胴側流下板（２１１）は上部を固定し、かつ、上部が内側に屈曲され、下部を選別室の左右内側に傾斜状に向けて突出し、前記送塵口処理胴（２１）より落下する籾や籾藁等の一部が、該処理胴側流下板（２１１）に沿って選別室の揺動本体（５１）の左右方向の中央側に案内され、残りが揺動本体（５１）の進行方向右側に案内され、左右方向に分配されるものである。
請求項２においては、請求項１記載のコンバインにおいて、前記揺動本体（５１）の、前部に設けたグレンパン（５８）の進行方向右側に左右方向に長い固定板（２２１）を前後に平行状に固設し、該前後の固定板（２２１）に複数のリード板（２２０）を固設し、該リード板（２２０）の後方を進行方向左方向に傾斜して配置したものである。
【０００５】
【発明の実施の形態】
本発明が解決しようとする課題及び解決するための手段は以上の如くであり、次に添付の図面に示した実施例の構成を説明する。図１はコンバイン全体側面図、図２は脱穀選別装置への動力伝達構成を示すスケルトン図、図３は脱穀選別装置を示す側面断面図、図４は脱穀選別装置の上部を示す部分正面図、図５は脱穀選別装置の後面図、図６は脱穀選別装置の扱室の進行方向右側面図、図７は扱胴を駆動する駆動ケースの平面断面図、図８はクリンプ網を支持する網支持フレームの正面図、図９は網支持フレームの展開図、図１０は網支持フレーム前部に配置する脱粒プレートの別形態を示す平面図、図１１は網支持フレーム前部に配置する脱粒プレートを示す平面図、図１２はリード板を配置させた揺動本体の部分平面図である。
【０００６】
図１においてコンバインの全体構成から説明すると、クローラ式走行装置１上に機体フレーム２を載置し、該機体フレーム２前端に引起し・刈取装置Ａを昇降可能に配設し、引起し・刈取装置Ａは前端に分草板３を突出して穀稈を分草し、その後部に引起しケース４を立設して該引起しケース４より突出したタインの回転により穀稈を引き起こして、分草板３後部に配設した刈刃５にて株元を刈り取り、上部搬送装置、下部搬送装置、縦搬送装置６にて後部へ搬送し、この縦搬送装置６の上端から株元がフィードチェーン７に受け継がれて脱穀装置内に穀稈を搬送し、該フィードチェーン７後端には排藁搬送装置１６が配設され、排藁搬送装置１６後部下方に配設した排藁カッター装置１７にて、搬送されてきた排藁を切断して圃場に放出している。前記脱穀装置の側部には選別後の精粒を貯留するグレンタンク１２が配設され、該グレンタンク１２前部には運転部１９が配設されている。
【０００７】
前記脱穀装置Ｂは図３に示すように、扱室内に扱胴２０と送塵口処理胴２１とが軸芯を前後方向にして横架され、脱穀装置Ｂ下部の、この扱室の下方に選別室が形成されている。前記扱室の扱胴２０周囲に扱刃２０ａ・２０ａ・・・が植設され、扱胴２０下部周囲にはクリンプ網３１を設けて籾や小さな藁くず等のみが漏下し、選別室内で選別されるようにしている。前記送塵口処理胴２１は、扱胴２０後部のグレンタンク１２側に扱胴２０と平行に横架されており、扱胴２０で処理できなかった枝梗付着粒等を送塵口処理胴２１に還流して処理し、藁屑等は後方に搬送して機外へ排出している。
【０００８】
次に、図２に示すスケルトン図を用いて駆動構成を説明する。前記エンジンＥの出力軸６０を左右方向に突出し、該出力軸６０の一端をギアケース２５９に入力して、該ギアケース２５９よりプーリー、ベルトを介してミッションケースに動力を伝えて走行装置を駆動し、また、ギアケース２５９内の作業クラッチを介して、機体前部に配設した引起し、刈取装置Ａに動力を伝達すると同時に、脱穀装置Ｂや排藁処理装置等を駆動する。前記ギアケース２５９から後方へ突出した出力軸よりプーリー、ベルトを介して送塵口処理胴２１、及び扱胴２０を駆動している。
【０００９】
また、前記ギアケース２５９より側方に駆動軸２６１を突出し、該駆動軸２６１の端部を機体の進行方向左側部に配する動力伝達部に入力して、プーリー、ベルトを介して後方に伝達している唐箕３５、一番選別コンベア２２に動力を伝達するようにしている。更に、前記一番コンベア２２のコンベア軸２７３には、プーリー２６９とは別に第二プーリー２７４を嵌合しており、該第二プーリー２７４にベルトを巻回して、二番コンベア２３、選別本体５１や排出用の排風ファン３０や排藁カッター装置１７を駆動し、更に後方の機体後部に配設する結束装置に動力を伝達することもできる。また、前記一番コンベア２２の他側にベベルギアを介して揚穀コンベア１３を駆動しており、該一番コンベア２２によって搬送された籾は揚穀コンベア１３を介してグレンタンク１２に搬送している。また、前記二番コンベア２３の他端部に、ベベルギアを介して還元コンベア６２を駆動し、該還元コンベア６２の他端の排出口は揺動選別装置Ｃのクリンプ網３１の前側部に臨ませて配置し、二番物を還元して、再度選別を行うようにしている。
【００１０】
一方、前記エンジンＥの進行方向右側に突出する出力軸６０より、プーリーやベルトや連動軸やベベルギアを介して排出コンベア６３に動力を伝達し、更に、縦コンベア６４、排出オーガ６５を駆動できる構成として、グレンタンク１２内に貯留した籾を排出可能としている。
【００１１】
次に、扱室内の前記扱胴２０の支持構成について図３〜図６を用いて説明する。前記扱胴２０は、選別室の前部より立設される支持体１８０上部と、扱室の前後途中位置に立設する支持体によって、扱胴２０の駆動軸１３６が枢支され枢支部１８０ａが形成されている。該支持体１８０・１８０の下方には進行方向左側（フィードチェーン７側）を開放して穀稈が通過できるように開口１８０ｂが形成されている。前後の前記支持体１８０・１８０の下部の間には網枠２００を前後方向に横架して、その上にクリンプ網３１が固定され、扱胴２０の下側半分が被装され、フィードチェーン７によって穀稈の穂先側が扱胴２０とクリンプ網３１の間に搬送される。
【００１２】
また、前記扱胴２０の側方（グレンタンク１２側の側方）は、側部カバー１８１によって被装され、扱胴２０の上方が扱室カバー１８２によって被装され、該扱室カバー１８２が支持体１８０によって回動可能に枢支されているいる。前記扱室カバー１８２の内周面には板状の送塵弁が固設され、扱胴２０に回動にともなわれて誘導される藁屑に抵抗を与えて、送塵口処理胴２１に誘導される藁屑の量を調整している。また、前記扱室カバー１８２の進行方向左端部（フィードチェーン７側）に扱刃２０ａ・２０ａ・・・による刺さり粒を除去する図示せぬ刺さり粒除去体を配設している。
【００１３】
また、前記扱胴２０前部を被装する支持体１８０は板状であり、支持体１８０の前部の進行方向右側（開口１８０ｂより進行方向右側）には、支持体１８０を補強する補強体１８５が固設されている。該補強体１８５は、図８に示すように、平面断面視四角形状の筒体であり、支持体１８０前部に固設され、支持体１８０側部の断面形状を大きくして剛性を高めている。
【００１４】
この補強体１８５によって補強されている支持体１８０の駆動軸１３６を枢支する枢支部１８０ａ前面には駆動ケース１８６が配設されている。該駆動ケース１８６は、図７に示すように、前部ケース１８７と後部ケース１８８とを接合し、内部に減速ギアを収納するギア室１８７ａ・１８８ａが形成されている。該ギア室１８７ａ・１８８ａは、前部ケース１８７側上部に嵌合部１８７ｃが形成され、該嵌合部１８７ｃにベアリング等の枢支体１８９が嵌合され、枢支体１８９に入力軸１９０が軸支され、ギア室１８７ａ・１８８ａ低部に駆動軸１３６が挿入され、入力軸１９０に入力された動力が、図示せぬカウンター軸を介して駆動軸１３６に減速した動力が伝達されている。また、前記ギア室１８７ａ・１８８ａ低部の進行方向右側が補強体１８５側に延出され、ギア室１８７ａ・１８８ａが正面視略三角形状に形成され、内部容積の大きいギア室１８７ａ・１８８ａを形成し、ギア室１８７ａ・１８８ａ内の減速ギアの冷却効率を向上している。
【００１５】
また、前記後部ケース１８８のギア室１８８ａの外周面にはボルト固定用の複数個のボス部１８８ｂ・１８８ｂ・・・が形成されている。前記前部ケース１８７のギア室１８７ａの外周面よりグレンタンク１２側にボルト固定用の補強用ボス部１８７ｂが形成され、正面視補強体１８５とラップする位置まで伸延されている。よって、前記支持体１８０の前面に後部ケース１８８を配し、該後部ケース１８８のボス部１８８ｂ・１８８ｂ・・・にボルトを挿入し、支持体１８０の枢支部１８０ａに後部ケース１８８が螺合されている。前記後部ケース１８８に前部ケース１８７を螺合すると、前部ケース１８７の補強用ボス部１８７ｂが補強体１８５前面に当接しており、該補強用ボス部１８７ｂにボルトを挿入し、前部ケース１８７を補強体１８５に螺合すると、支持体１８０の枢支部１８０ａが駆動ケース１８６を用いて補強体１８５と一体的に螺合され、支持体１８０の断面形状を大きくして剛性が高められている。
【００１６】
更に、前記駆動ケース１８６上方の補強体１８５側部には上固定プレート１９１が固設され、該上固定プレート１９１の側方端部（進行方向左側端部）が、正面視において補強体１８５に被装されていない支持体１８０上まで延出され、上固定プレート１９１端部が支持体１８０に固設されている。同様に、駆動ケース１８６下方の補強体１８５側部には下固定プレート１９２が固設され、下固定プレート１９２端部が支持体１８０に固設されており、該下固定プレート１９２と上固定プレート１９１とで、駆動ケース１８６と合わせて支持体１８０の剛性を高めている。
【００１７】
次に、前記扱胴２０下側を被装するクリンプ網３１は、網枠２００上に載置されている。該網枠２００は、図８に示す、正面視円弧状に形成され、該網枠２００に載置するクリンプ網３１が扱胴２０の扱刃２０ａ・２０ａ・・・に回動軌跡の略下側を被装している。また、前記網枠２００は、図９に示す平面視のように枠状に形成され、網枠２００上にクリンプ網３１が支持されている。該網枠２００の後部進行方向右側に送塵口処理胴２１への投入口２００ａが形成されている。
【００１８】
また、前記網枠２００の左右方向の進行方向右側（グレンタンク１２側）途中位置に補強フレーム２０１が前後向きに横架され、網枠２００の左右方向の進行方向左側途中位置に連結フレーム２０２が前後向きに横架されている。前記補強フレーム２０１の前後方向の前側に第一仕切り板２０３が固設されている。該第一仕切り板２０３は、補強フレーム２０１より進行方向右側の網枠２００までクリンプ網３１に沿って円弧上に形成されている。また、前記補強フレーム２０１の前後方向の略中央部に第二仕切り板２０４が固設され、該第二仕切り板２０４は補強フレーム２０１より左右側部の網枠２００までクリンプ網３１に沿って円弧上に形成されている。更に、前記網枠２００の投入口２００ａの前部位置に第三仕切り板２０５が固設され、該第三仕切り板２０５が投入口２００ａ側部より進行方向左側の網枠２００までクリンプ網３１に沿って円弧上に形成されている。また、前記第一仕切り板２０３、第二仕切り板２０４、第三仕切り板２０５の高さは、正面視において扱胴２０の扱刃２０ａ・２０ａ・・・先端部の回動軌跡とラップする高さに形成されている。更に、各仕切り板２０３・２０４・２０５は、クリンプ網３１を貫通すうボルトを用いて網枠２００若しくは補強フレーム２０１、連結フレーム２０２に螺合されている。
【００１９】
また、前記クリンプ網３１の内で前部進行方向左側の、網枠２００と連結フレーム２０２と第二仕切り板２０４とで囲まれる範囲を図１１に示す漏下プレート２０６を配置している。該漏下プレート２０６は、表面の滑らかな板体が用いられ、漏下プレート２０６の前後方向の中央部（第一仕切り板２０３の延長線上）より後方に複数個の漏下孔２０６ａ・２０６ａ・・・が開口されている。該漏下孔２０６ａ・２０６ａ・・・は、クリンプ網３１の網目に比べて口径を大きくした孔であり、穀粒が落下しやすいようにしている。尚、前記漏下プレート２０６は、図１０に示すように、漏下プレート２０６の前面にわたり漏下孔２０６ａ・２０６ａ・・・を開口する構成にすることもできる。
【００２０】
よって、前記フィードチェーン７によって扱室内に搬送される穀稈は、表面の滑らかな漏下プレート２０６によって穀稈途中部が円滑に搬送され、穀稈の穂先のみが第一仕切り板２０３に当接され、ある程度脱粒された穀稈が、第一仕切り板２０３を通過してゆく。そして、左右方向に長く形成した第二仕切り板２０４によって抵抗が大きくなるように形成されており、該第一仕切り板２０３と第二仕切り板２０４との間で比較的長く滞留し、脱穀が十分に行われている。前記第二仕切り板２０４と第三仕切り板２０５との間によって、刺さり粒が低減され、第三仕切り板２０５に沿って送塵口処理胴２１の投入口２００ａ内に枝梗付着粒等が案内されて行く。
【００２１】
次に、前記クリンプ網３１の下方に配設する扱胴側流下板２１０について図４、図６を用いて説明する。前記側部カバー１８１の前部下部に掃除口１８１ａが開口され、扱室内の清掃が行い易くしている。該掃除口１８１ａの後方位置（紙面上の左側）に還元コンベア６２の投入口１８１ｂが開口されており、クリンプ網３１の前下方より選別装置Ｃ上方に二番物を投入するようにしている。前記扱胴側流下板２１０は、掃除口１８１ａの開口位置の上方の側部カバー１８１内側（扱室側）に扱胴側流下板２１０上部が固設されている。該扱胴側流下板２１０の上部が内側に屈曲され、扱胴側流下板２１０下部が扱室の内側下方に向けて傾斜状に形成されている。よって、穀稈の脱粒量の多い扱胴２０前部において、クリンプ網３１の進行方向右側側面（グレンタンク１２側）に大量の脱粒されても、扱胴側流下板２１０にそって、選別室の左右中央側に落下され、選別室の片側に穀粒が堆積することが防がれ、後述する選別本体５１による選別性能を高く維持することができる。
【００２２】
また、前記送塵口処理胴２１下部に処理胴側流下板２１１が配置されている。前記送塵口処理胴２１は、図５、図６に示すにように、扱胴２０と平行状に、扱胴２０の終端位置より後方に送塵口処理胴２１が配されている。前記送塵口処理胴２１の後端部は、選別室より支持柱２１６が立設され、該支持柱２１６上部に後部壁２１３が固設され、後部壁２１３に配設する枢支体２１４によって送塵口処理胴２１の駆動軸２１５が枢支されている。前記支持柱２１６より前方に処理胴側部壁２１７が形成され、該側部壁２１７より扱室側に複数個の受けフレーム２１８・２１８・・・が固設され、該受けフレーム２１８・２１８・・・上にクリンプ網２１２が載置され、該クリンプ網２１２によって、送塵口処理胴２１の外周面が環状に被装されている。また、前記受けフレーム２１８・２１８・・・下部に前後方向に固定プレート２１９が固設され、該固定プレート２１９に前後方向に長い処理胴側流下板２１１上部が固設されている。該処理胴側流下板２１１は上部が内側に屈曲され、処理胴側流下板２１１下部を内側に傾斜状に向けて突出している。
【００２３】
よって、前記送塵口処理胴２１より落下する籾や籾藁等の一部が処理胴側流下板２１１に沿って選別室の揺動本体５１の左右方向の中央側に案内され、残りが揺動本体５１の進行方向右側に案内され、左右方向に分配され、揺動本体５１による選別性能が向上される。また、前記処理胴側流下板２１１は側面視において後方側に従って長く形成されており、揺動本体による選別距離の短くなっている後方ほど左右方向の中央側に案内されるように形成されている。
【００２４】
次に、前記脱穀選別装置Ｂ下部に形成した選別室について説明する。図３に示すように、該選別室には揺動本体５１による比重選別と唐箕３５及びプレファン４１による風選別により一番物と二番物と藁くず等に選別を行うものである。揺動本体５１の前端部を扱胴２０の前端下方に配置し、揺動本体５１の後端を送塵口処理胴２１の後部下方まで延出している。前記揺動本体５１の前下部に枢支軸５２を設けて後部をクランク軸５３に枢支して、クランク軸５３の回動により揺動するように構成されている。そして、前記揺動本体５１前部にはグレンパン５８を形設し、その後方にフィン状のチャフシーブを複数個を横架しされ、揺動本体５１前部に設けた開口より唐箕３５からに選別風を導入し、チャフ部５５上に搬送される籾を風で選別するようにし、揺動本体５１底部の前部に設けた落下口５１ｃより選別後の籾を落下させている。
【００２５】
次に、前記揺動本体５１の前部に載置するグレンパン５８は樹脂による一体成形された板体であり、グレンパン５８上面が波状に形成され籾を後方に搬送し易くしている。
図１２に示すように、該グレンパン５８上面進行方向右側（グレンタンク１２側）に、リード板２２０・２２０・・・が配設されている。前記グレンパン５８上には、左右方向に固定板２２１・２２１・・・が配され、前後二本の固定板２２１・２２１を用いて左右二本のリード板２２０・２２０が固定されている。前記固定板２２１の左右端部に固定用の溝２２１ａ・２２１ａが形成され、該溝を貫通して固定ボルトを挿入し、固定板２２１をグレンパン５８上に螺合し、前後の固定板２２１・２２１がリード板２２０・２２０によって連結され、樹脂によって成形したグレンパン５８の剛性が高められている。
【００２６】
前記リード板２２０は、上下方向に高さを有する板体であり、リード板２２０の後部と途中部との側面に連結板２２２・２２２が固設され、後方の連結板２２２の固定位置を前方の連結板２２２の固定位置より、進行方向の左側（紙面上の下側）にずらして配置することで、リード板２２０は後端が、揺動本体５１の内側（進行方向の左側）に向けて傾斜状に配設され、グレンパン５８に落下した籾が後方に案内される際に、リード板２２０によって、グレンパン５８の進行方向右側（グレンタンク１２側）より中央側に案内されている。また、図１２の後方の進行方向右側のリード板２２０’に示すように、連結板２２２・２２２を前後方向に固設して、リード板２２０’を前後方向向きに配置し、該リード板２２０’後方に傾斜状のリード板２２０”を配設することもできる。
【００２７】
このように構成したことによって、扱室によって脱穀された籾が、前部の（グレンタンク１２側）より大量に落下しても、扱胴側流下板２１０によって揺動本体５１のグレンパン５８の中央側に案内し、更に、扱胴側流下板２１０によって中央側に案内しきれなかった籾が、グレンパン５８上に形成したリード板２２０によって、後方に搬送されるに従って揺動本体５１の中央側に搬送しており、穀稈の長くて、揺動本体５１のグレンタンク１２側で脱粒されても、揺動本体５１の中央側に分散され、揺動本体５１による選別性能が高く維持される。
【００２８】
扱胴の駆動軸を枢支する支持体に、支持体の一側に剛性を高める補強枠を固設し、駆動軸を減速駆動する駆動ケースを支持体前面と補強枠とに跨がって固設する構成にしたことによって、特別な補強部材を配設することなく、駆動ケースを補強部材と兼用させて、コストを削減することができ、支持体の剛性を高めることもできる。この剛性の高く形成された支持体によって重量の嵩む扱胴が安定して支持することができ、扱室内に大量の穀稈が搬送されて扱胴に過大な負荷が生じても安定して支持することができる。
【００２９】
また、扱胴の下面を被装するクリンプ網の一部に表面の滑らかな漏下プレートを配設したことによって穀稈途中部が円滑に搬送され、クリンプ網上の配置構成の異なる仕切り板によって、扱室内を搬送される穀稈への抵抗を変えて、扱室の前部においては円滑に搬送され、扱室の前後途中位置から後方にかけては抵抗を大きくしてり、脱穀が十分に行われ、穀稈に取り残されている刺さり粒が低減され、脱穀性能を向上することができ、処理残した籾を機体後部より排出することがなくなる。
【００３０】
また、脱粒量の多い脱穀室前部において大量の籾が脱穀され、扱胴に回転に従って、クリンプ網の前部進行方向右側より下方に漏下されても、扱胴の側部を被装する側部カバー前部に扱胴側流下板を配したことによって、選別室の左右方向の中央側に案内されるので、脱粒された籾が分散され、一か所に堆積することがなくなり、選別室による選別性能を高く維持することができる。また、扱室を清掃する掃除口を開口しても、該掃除口が扱胴側流下板によって被装され、扱室外に籾が飛散することがない構成となっており、メンテナンス性の優れた扱室を形成することができる。
【００３１】
【発明の効果】
以上のように構成したので、本発明は次のような効果を奏するものである。
即ち、請求項１記載のように、刈り取った穀稈を脱穀する扱胴（２０）及び送塵口処理胴（２１）を収納する扱室と、該扱室下方で揺動本体（５１）により選別を行う選別室とを有する脱穀選別装置（Ｂ）を配置したコンバインにおいて、前記送塵口処理胴（２１）の下部に、前後方向に長く、かつ、側面視において後方側に行くに従って下方向に長く形成した処理胴側流下板（２１１）を配置し、該処理胴側流下板（２１１）は上部を固定し、かつ、上部が内側に屈曲され、下部を選別室の左右内側に傾斜状に向けて突出し、前記送塵口処理胴（２１）より落下する籾や籾藁等の一部が、該処理胴側流下板（２１１）に沿って選別室の揺動本体（５１）の左右方向の中央側に案内され、残りが揺動本体（５１）の進行方向右側に案内され、左右方向に分配されるので、扱胴と平行上に左右方向にずれて選別室の片側に送塵口処理胴を配設する構成にしても、該送塵口処理胴下部に処理胴側流下板を傾斜状に配置しており、送塵口処理胴選別室によって処理された籾や籾藁が、左右方向に片側のみに落下することがなく、処理胴側流下板によって左右方向の中央側にも落下され、籾等を一か所に堆積することなく分散できるので、選別室での選別性能を向上することができるのである。
【００３２】
請求項２記載の如く、前記揺動本体（５１）の、前部に設けたグレンパン（５８）の進行方向右側に左右方向に長い固定板（２２１）を前後に平行状に固設し、該前後の固定板（２２１）に複数のリード板（２２０）を固設し、該リード板（２２０）の後方を進行方向左方向に傾斜して配置したので、脱穀室前部で大量の籾が脱穀され、扱胴の回転方によって、選別室の前部進行方向右側に大量の籾が脱粒されても、選別室の揺動選別を行う揺動本体の籾を受けるグレンパンに傾斜状に複数個のリード板を設けたことによって、揺動によって後方に搬送されるにつれて、籾がリード板に従って左右方向の中央側に分散され、揺動本体による選別性能を高く維持することができる。
また、前記リード板固定する固定板をグレンパン上に前後に配設し、前後の固定板をリード板によって連結し、樹脂によって成形した場合にグレンパンの補強を行え、揺動本体に特別の補強部材を用いることなく、選別性能を向上するリード板によって補強を兼ねさせたことで、安価な構成において剛性の高い揺動本体が形成できるのである。
【図面の簡単な説明】
【図１】  コンバイン全体側面図である。
【図２】  脱穀選別装置への動力伝達構成を示すスケルトン図である。
【図３】  脱穀選別装置を示す側面断面図である。
【図４】  脱穀選別装置の上部を示す部分正面図である。
【図５】  脱穀選別装置の後面図である。
【図６】  脱穀選別装置の扱室の進行方向右側面図である。
【図７】  扱胴を駆動する駆動ケースの平面断面図である。
【図８】  クリンプ網を支持する網枠の正面図である。
【図９】  網枠の展開図である。
【図１０】  網枠前部に配置する脱粒プレートの別形態を示す平面図である。
【図１１】  網枠前部に配置する脱粒プレートを示す平面図である。
【図１２】  リード板を配置させた揺動本体の部分平面図である。
【符号の説明】
Ａ  刈取部
Ｂ  脱穀選別装置
１２  グレンタンク
２０  扱胴
２１  送塵口処理胴
３１  クリンプ網
５１  揺動本体
１３６  駆動軸
１８０  支持体
１８１  側部カバー
１８５  補強枠
１８６  駆動ケース
１８７  前部ケース
１８８  後部ケース
２０３  第一仕切り板
２０４  第二仕切り板
２０５  第三仕切り板
２０６  漏下プレート
２１０  扱胴側流下板
２１１  処理胴側流下板
２２０  リード板
２２１  固定板
【図１】
0004008980.tif 000002
【図２】
0004008980.tif 000003
【図３】
0004008980.tif 000004
【図４】
0004008980.tif 000005
【図５】
0004008980.tif 000006
【図６】
0004008980.tif 000007
【図７】
0004008980.tif 000008
【図８】
0004008980.tif 000009
【図９】
0004008980.tif 000010
【図１０】
0004008980.tif 000011
【図１１】
0004008980.tif 000012
【図１２】
0004008980.tif 000013